(57)【特許請求の範囲】
【請求項１】
第１タッチセンサと、
前記第１タッチセンサに積層され、前記第１タッチセンサよりも低い消費電力で動作する第２タッチセンサと、
前記第１タッチセンサおよび前記第２タッチセンサに積層される表示部と、
前記表示部による表示が行われずかつ前記第１タッチセンサによる操作の検出が行われないスリープ状態で前記第２タッチセンサにより操作が検出された場合に、前記表示部による表示が行われかつ前記第１タッチセンサにより操作の検出が行われるアクティブ状態とする制御部と、
前記第２タッチセンサを基準電位点に接続させるか否かを切り換える切換回路と、を備え、
前記第２タッチセンサは、前記第１タッチセンサよりも前記表示部側に配置され、
前記制御部は、前記アクティブ状態で前記切換回路により前記第２タッチセンサを前記基準電位点に接続させて、前記第２タッチセンサを前記第１タッチセンサの基準電位とさせることを特徴とする携帯電子機器。
【請求項２】
前記制御部は、前記アクティブ状態で前記第１タッチセンサにより操作が検出されずに所定の時間が経過した場合に、前記スリープ状態とすることを特徴とする請求項１に記載の携帯電子機器。
【請求項３】
前記制御部は、前記アクティブ状態で前記第２タッチセンサによる操作の検出を行わないことを特徴とする請求項１または２に記載の携帯電子機器。
【請求項４】
前記第１タッチセンサは、前記第２タッチセンサよりも前記表示部側に配置されていることを特徴とする請求項１から３のいずれか一項に記載の携帯電子機器。
【請求項５】
前記第２タッチセンサは、抵抗膜方式であることを特徴とする請求項４に記載の携帯電子機器。
【請求項６】
前記第２タッチセンサは、前記第１タッチセンサよりも分解能が低いことを特徴とする請求項１から５のいずれか一項に記載の携帯電子機器。
【請求項７】
前記制御部は、前記スリープ状態で前記第２タッチセンサにより検出される操作の位置に応じて、前記アクティブ状態となったときに前記表示部に表示させる画面を異ならせることを特徴とする請求項１から６のいずれか一項に記載の携帯電子機器。
【請求項８】
第１タッチセンサと、
前記第１タッチセンサに積層され、前記第１タッチセンサよりも低い消費電力で動作する第２タッチセンサと、
前記第１タッチセンサおよび前記第２タッチセンサに積層される表示部と、
前記表示部による表示が行われずかつ前記第１タッチセンサによる操作の検出が行われないスリープ状態で前記第２タッチセンサにより操作が検出された場合に、前記表示部による表示が行われかつ前記第１タッチセンサにより操作の検出が行われるアクティブ状態とする制御部と、
前記第２タッチセンサにおける基準位置と当該第２タッチセンサにより検出される操作の位置との位置関係に係る第１情報と、複数の画面それぞれの位置関係に係る第２情報とを対応づけて記憶する記憶部と、を備え、
前記制御部は、前記アクティブ状態で前記第１タッチセンサにより検出される操作に応じて前記複数の画面を切り換えて前記表示部に表示させることが可能であり、なおかつ、前記スリープ状態で前記第２タッチセンサにより操作が検出されると、前記アクティブ状態となったときに前記表示部に表示させる画面を、前記複数の画面のうち、前記スリープ状態となる前に表示されていた画面に対して前記検出された操作の位置に基づく前記第１情報に対応付けられた第２情報に係る位置関係にある画面とすることを特徴とする携帯電子機器。
【請求項９】
前記制御部は、前記第２タッチセンサにより検出された操作の位置が前記基準位置に対して右側である場合、前記アクティブ状態で前記表示部に表示させる画面を、前記スリープ状態となる前に表示されていた画面の右側の画面とし、前記第２タッチセンサにより検出された操作の位置が前記基準位置に対して左側である場合、前記アクティブ状態で前記表示部に表示させる画面を、前記スリープ状態となる前に表示されていた画面の左側の画面とすることを特徴とする請求項８に記載の携帯電子機器。
【請求項１０】
前記制御部は、前記スリープ状態となる前に表示されていた画面が前記複数の画面のうちの右端または左端の画面でありかつ前記第２タッチセンサにより検出された操作の位置が前記基準位置に対して右側または左側である場合、前記アクティブ状態で前記表示部に表示させる画面を、前記スリープ状態となる前に表示されていた画面とすることを特徴とする請求項９に記載の携帯電子機器。
【請求項１１】
前記制御部は、前記スリープ状態となる前に表示されていた画面が前記複数の画面のうちの右端または左端の画面でありかつ前記第２タッチセンサにより検出された操作の位置が前記基準位置に対して右側または左側である場合、前記アクティブ状態で前記表示部に表示させる画面を、前記複数の画面のうちの基準に設定されている画面とすることを特徴とする請求項９に記載の携帯電子機器。
【請求項１２】
前記制御部は、前記スリープ状態から前記アクティブ状態となったときに前記表示部に表示させる画面を、特定の画面とすることを特徴とする請求項１から６のいずれか一項に記載の携帯電子機器。
【発明の詳細な説明】
【技術分野】
【０００１】
本発明は、タッチパネルを備える携帯電子機器に関する。
【背景技術】
【０００２】
近年では、入力デバイスとしてタッチセンサと表示部とを積層させたタッチパネルが提案されている。タッチパネルとしては、例えば特許文献１に記載されているように複数点の接触を検出するタッチパネルがある。
【先行技術文献】
【特許文献】
【０００３】
【特許文献１】特表２００８−５４４３５２号公報
【発明の概要】
【発明が解決しようとする課題】
【０００４】
ここで、タッチパネルを備える携帯電子機器では、一定時間操作が検出されない場合、表示部に画像を表示させずかつタッチセンサに対する操作の検出を停止する、いわゆるスリープ状態とする機能を備えるものがある。このような携帯電子機器では、タッチパネルをスリープ状態から復帰させる操作を行うためのメカニカルスイッチを備えているものがある。
【０００５】
ここで、タッチパネルとメカニカルスイッチを設けた携帯電子機器では、スリープ状態から復帰させるために、その都度タッチパネル以外の領域にあるメカニカルスイッチを操作する必要があり、操作性が低下する。
【０００６】
操作性が低下するという上記の課題に対処するため、スリープ状態でもタッチセンサに対する操作を検出可能な構成とすることが考えられる。しかしながら、そのような構成では、常にタッチセンサを動作させることになり、消費電力が増加する。
【０００７】
本発明は、上記に鑑みてなされたものであって、消費電力を抑えつつ、操作性を向上させることができる携帯電子機器を提供することを目的とする。
【課題を解決するための手段】
【０００８】
上述した課題を解決し、目的を達成するために、本発明は、携帯電子機器であって、第１タッチセンサと、前記第１タッチセンサに積層され、前記第１タッチセンサよりも低い消費電力で動作する第２タッチセンサと、前記第１タッチセンサおよび前記第２タッチセンサに積層される表示部と、前記表示部による表示が行われずかつ前記第１タッチセンサによる操作の検出が行われないスリープ状態で前記第２タッチセンサにより操作が検出された場合に、前記表示部による表示が行われかつ前記第１タッチセンサにより操作の検出が行われるアクティブ状態とする制御部と、を備えることを特徴とする。
【０００９】
ここで、前記制御部は、前記アクティブ状態で前記第１タッチセンサにより操作が検出されずに所定の時間が経過した場合に、前記スリープ状態とすることが好ましい。
【００１０】
また、前記制御部は、前記アクティブ状態で前記第２タッチセンサによる操作の検出を行わないことが好ましい。
【００１１】
また、前記第２タッチセンサは、前記第１タッチセンサよりも前記表示部側に配置されていることが好ましい。
【００１２】
また、前記第２タッチセンサを基準電位点に接続させるか否かを切り換える切換回路をさらに有し、前記制御部は、前記アクティブ状態で、前記切換回路により前記第２タッチセンサと前記基準電位点とを接続させることが好ましい。
【００１３】
また、前記第１タッチセンサは、前記第２タッチセンサよりも前記表示部側に配置されていることが好ましい。
【００１４】
また、前記第２タッチセンサは、抵抗膜方式であることが好ましい。
【００１５】
また、前記第２タッチセンサは、前記第１タッチセンサよりも分解能が低いことが好ましい。
【００１６】
また、前記制御部は、前記スリープ状態で前記第２タッチセンサにより検出される操作の位置に応じて、前記アクティブ状態となったときに前記表示部に表示させる画面を異ならせることが好ましい。
【００１７】
また、前記第２タッチセンサにおける基準位置と当該第２タッチセンサにより検出される操作の位置との位置関係に係る第１情報と、複数の画面それぞれの位置関係に係る第２情報とを対応づけて記憶する記憶部を有し、前記制御部は、前記アクティブ状態で前記第１タッチセンサにより検出される操作に応じて前記複数の画面を切り換えて前記表示部に表示させることが可能であり、なおかつ、前記スリープ状態で前記第２タッチセンサにより操作が検出されると、前記アクティブ状態となったときに前記表示部に表示させる画面を、前記複数の画面のうち、前記スリープ状態となる前に表示されていた画面に対して前記検出された操作の位置に基づく前記第１情報に対応付けられた第２情報に係る位置関係にある画面とすることが好ましい。
【００１８】
また、前記制御部は、前記第２タッチセンサにより検出された操作の位置が前記基準位置に対して右側である場合、前記アクティブ状態で前記表示部に表示させる画面を、前記スリープ状態となる前に表示されていた画面の右側の画面とし、前記第２タッチセンサにより検出された操作の位置が前記基準位置に対して左側である場合、前記アクティブ状態で前記表示部に表示させる画面を、前記スリープ状態となる前に表示されていた画面の左側の画面とすることが好ましい。
【００１９】
また、前記制御部は、前記スリープ状態となる前に表示されていた画面が前記複数の画面のうちの右端または左端の画面でありかつ前記第２タッチセンサにより検出された操作の位置が前記基準位置に対して右側または左側である場合、前記アクティブ状態で前記表示部に表示させる画面を、前記スリープ状態となる前に表示されていた画面とすることが好ましい。
【００２０】
また、前記制御部は、前記スリープ状態となる前に表示されていた画面が前記複数の画面のうちの右端または左端の画面でありかつ前記第２タッチセンサにより検出された操作の位置が前記基準位置に対して右側または左側である場合、前記アクティブ状態で前記表示部に表示させる画面を、前記複数の画面のうちの基準に設定されている画面とすることが好ましい。
【００２１】
また、前記制御部は、前記スリープ状態から前記アクティブ状態となったときに前記表示部に表示させる画面を、特定の画面とするが好ましい。
【発明の効果】
【００２２】
本発明によれば、消費電力を抑えつつ、操作性が向上した携帯電子機器を提供することができる。
【図面の簡単な説明】
【００２３】
【図１】図１は、携帯電話端末の外観を示す正面図である。
【図２】図２は、タッチパネルの概略構成を示す説明図である。
【図３】図３は、第１タッチセンサの概略構成を示す説明図である。
【図４】図４は、第２タッチセンサの概略構成を示す説明図である。
【図５】図５は、携帯電話端末の機能の概略構成を示すブロック図である。
【図６】図６は、携帯電話端末の操作検出動作時の処理の一例を示すフロー図である。
【図７】図７は、第２タッチセンサの概略構成を示す説明図である。
【図８】図８は、第２タッチセンサの他の実施形態の概略構成を示す説明図である。
【図９】図９は、第２タッチセンサの他の実施形態の概略構成を示す説明図である。
【図１０】図１０は、図９に示す第２タッチセンサの操作検出時の動作を説明するための説明図である。
【図１１】図１１は、タッチパネルの他の実施形態の概略構成を示す説明図である。
【発明を実施するための形態】
【００２４】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、電子機器として携帯電話端末を例として説明するが、本発明の適用対象は携帯電話端末に限定されるものではなく、タッチパネルを備える各種装置、例えば、ＰＨＳ（Personal  Handy-phone  System）、ＰＤＡ、ポータブルナビゲーション装置、パーソナルコンピュータ、ゲーム機等に対しても本発明は適用できる。
【００２５】
図１は、本発明の携帯電子機器の一実施形態である携帯電話端末１の外観を示す正面図であり、携帯電話端末１は、薄板状の筐体１２を有する。携帯電話端末１は、筐体１２の表面に、タッチパネル２と、ボタン２０、ボタン２２及び入力デバイス２４からなる入力部３と、レシーバ７と、マイク８と、が配置されている。タッチパネル２は、板状の筐体１２の面積が最も広い面に配置されている。また、入力部３も、筐体１２のタッチパネル２が配置されている面の、長手方向の一方の端部に配置されている。入力部３は、短手方向の一方から他方に向かって、ボタン２０、入力デバイス２４、ボタン２２の順で配置されている。また、レシーバ７は、筐体１２のタッチパネル２が配置されている面の長手方向の他方の端部、つまり、入力部３が配置されている端部とは反対側の端部に配置されている。また、マイク８は、筐体１２のタッチパネル２が配置されている面の長手方向の一方の端部、つまり、入力部３が配置されている端部に配置されている。
【００２６】
以下、図２から図４を用いてタッチパネル２について説明する。ここで、図２は、タッチパネルの概略構成を示す説明図である。図３は、第１タッチセンサの概略構成を示す説明図である。図４は、第２タッチセンサの概略構成を示す説明図である。
【００２７】
タッチパネル２は、文字、図形、画像等を表示するとともに、指、スタイラス、ペン（ペンの先端、棒状部材の先端）等（以下、単に「指」という）を用いてタッチパネル２に対して行われる各種動作を検出する。例えば、携帯電話端末１は、利用者から文字の入力を受け付けるために、タッチパネル２上に仮想キーボードを表示させる。携帯電話端末１は、タッチパネル２上に仮想キーボードを表示させた状態で、指によってタッチパネル２に入力される各種動作を検出し、仮想キーボードのどのキーが押下されたか、接触されたかを検出し、押下、接触を検出したキーを入力したキーとすることで、文字入力を行うことができる。また、タッチパネル２は、文字の入力によらず、表示させている画像と、指によってタッチパネル２に対して行われる各種動作とに基づいて、各種操作の入力を検出し、入力された操作に基づいて各種制御を行う。
【００２８】
タッチパネル２は、図２に示すように、第１タッチセンサ２Ａと第２タッチセンサ２Ｂと表示部２Ｃとを有する。ここで、タッチパネル２は、第１タッチセンサ２Ａと第２タッチセンサ２Ｂと表示部２Ｃとが、筐体１２の外側から内側に向かってこの順に積層されている。つまり、タッチパネル２は、第２タッチセンサ２Ｂが第１タッチセンサ２Ａと表示部２Ｃとに挟まれて配置されている。このように、タッチパネル２は、第１タッチセンサ２Ａが最も外側（筐体１２の外側、露出する面）に配置され、表示部２Ｃが最も内側（筐体１２の内部側）に配置されている。また、第２タッチセンサ２Ｂは、第１タッチセンサ２Ａよりも表示部２Ｃ側に配置されている。
【００２９】
第１タッチセンサ２Ａは、板状の部材であり、指Ｆを用いてタッチパネル２に対して行われた各種動作を、動作が行われた場所のタッチパネル２上での位置とともに検出する。第１タッチセンサ２Ａによって検出される動作には、例えば、指をタッチパネル２の表面に接触させる動作、指をタッチパネル２の表面に接触させたまま移動させる動作および指をタッチパネル２の表面から離す動作が含まれる。
【００３０】
第１タッチセンサ２Ａは、抵抗膜方式、感圧方式、静電容量方式、表面弾性波方式等の種々の検出方式のタッチセンサを採用することができる。第１タッチセンサ２Ａは、図２に示すように、動作が行われた場所のタッチパネル２上での位置、つまり接触位置を検出するための電極３０がマトリックス状に配置されている。第１タッチセンサ２Ａは、指を用いてタッチパネル２に対して各種動作が行われることで、各種動作で接触している位置の電極３０の検出値が変化する。第１タッチセンサ２Ａは、検出値が変化した電極３０の位置に基づいて接触位置を検出する。なお、図３は、第１タッチセンサ２Ａの電極３０の配置をわかりやすく示すため、１２行８列に電極３０が配置されたマトリックス形状としたが、行列の数（行の数、列の数）は特に限定されない。第１タッチセンサ２Ａは、行列の数を多くすることで、つまり分解能を高くすることで、接触位置をより高精度に検出することができる。
【００３１】
第２タッチセンサ２Ｂは、第１タッチセンサ２Ａと略同一の面積の板状部材であり、面積が最も大きい面（主面）同士が重なるように第１タッチセンサ２Ａに積層されている。第２タッチセンサ２Ｂは、指Ｆを用いてタッチパネル２に対して行われた接触動作を検出する。これにより、第２タッチセンサ２Ｂは、第１タッチセンサ２Ａで接触が検出できる領域と同一の領域で接触動作を検出することができる。また、第２タッチセンサ２Ｂは、第１タッチセンサ２Ａを介して指Ｆと接触するが、指Ｆが接触することで変化する物性値を検出することで、接触動作を検出する。第２タッチセンサ２Ｂは、抵抗膜方式、感圧方式、静電容量方式、表面弾性波方式等の種々の検出方式のタッチセンサを採用することができる。第２タッチセンサ２Ｂは、図４に示すように接触を検出するための１つの電極３２が配置されている。つまり第２タッチセンサ２Ｂは、第１タッチセンサ２Ａの電極３０よりも面積が大きい電極３２が配置されている。なお、本実施形態の第２タッチセンサ２Ｂは、接触を検出する素子である電極３２が１つであるため、タッチパネル２に対して行われた接触動作を検出するが、接触位置は検出しない。つまり、第２タッチセンサ２Ｂは、分解能が１であり、接触動作が行われたか否かのみを検出する。このように、第２タッチセンサ２Ｂは、第１タッチセンサ２Ａよりも低い分解能（低い感度）で接触動作を検出する。
【００３２】
表示部２Ｃは、例えば、液晶ディスプレイ（ＬＣＤ、Liquid  Crystal  Display）や、有機ＥＬ（Organic  Electro−Luminescence）パネル等で構成され、文字、図形、画像等を表示する。
【００３３】
入力部３は、ボタン２０、２２が押下された場合に、押下されたボタンに対応する機能を起動させる。また、入力部３は、入力デバイス２４に入力された動作も操作として検出し、入力された操作に基づいて各種制御を行う。例えば、入力デバイス２４は、方向指示操作や決定操作を検出する。入力デバイス２４は、タッチパッド、光学式入力デバイス、４方及び中央にボタンを備える入力デバイス等で構成される。
【００３４】
次に、携帯電話端末１の機能と制御部との関係を説明する。図５は、図１に示す携帯電話端末１の機能の概略構成を示すブロック図である。図５に示すように携帯電話端末１は、タッチパネル２と、入力部３と、電源部５と、通信部６と、レシーバ７と、マイク８と、記憶部９と、主制御部１０と、ＲＡＭ（Random  Access  Memory）１１と、を有する。
【００３５】
タッチパネル２は、上述したように、第１タッチセンサ２Ａと、第２タッチセンサ２Ｂと、表示部２Ｃと、を有する。タッチパネル２は、主制御部１０の制御に基づいて駆動される。第１タッチセンサ２Ａと第２タッチセンサ２Ｂとは、タッチパネル２に対して行われた接触動作を検出する。第１タッチセンサ２Ａまたは第２タッチセンサ２Ｂが後述する静電容量式である場合には、対象物が近づくことに起因する静電容量の変化が所定のしきい値を上回れば、対象物が第１タッチセンサ２Ａまたは第２タッチセンサ２Ｂに接触しなくとも操作を検出することができる。なお、第１タッチセンサ２Ａと第２タッチセンサ２Ｂとは、接触動作の検出の機能が停止されている場合には、タッチパネル２に対して接触動作が行われても当該接触動作を検出しない。第１タッチセンサ２Ａと第２タッチセンサ２Ｂとは、検出した接触動作に対応する信号を主制御部１０へ送信する。表示部２Ｃは、主制御部１０から供給される信号に基づいて画像を表示させる。
【００３６】
入力部３は、上述したようにボタン２０、２２と、入力デバイス２４とを有する。ボタン２０、２２は、物理的な入力（押下）を通じて利用者の操作を受け付け、受け付けた操作に対応する信号を主制御部１０へ送信する。また、入力デバイス２４も、利用者の操作を受け付け、受け付けた操作に対応する信号を主制御部１０へ送信する。
【００３７】
電源部５は、蓄電池または外部電源から得られる電力を、主制御部１０を含む携帯電話端末１の各機能部へ供給する。通信部６は、基地局によって割り当てられるチャネルを介し、基地局との間でＣＤＭＡ方式等による無線信号回線を確立し、基地局との間で電話通信及び情報通信を行う。レシーバ７は、電話通信における相手側の音声や着信音等を出力する。マイク８は、利用者等の音声を電気的な信号へ変換する。
【００３８】
記憶部９は、例えば、不揮発性メモリや磁気記憶装置であり、主制御部１０での処理に利用されるプログラムやデータを保存する。具体的には、記憶部９は、メールの送受信や閲覧のためのメールプログラム９Ａや、ＷＥＢページの閲覧のためのブラウザプログラム９Ｂや、タッチパネル２の動作を制御するタッチパネル制御プログラム９Ｃや、タッチパネル２や入力部３で検出した入力を操作として検出する操作検出プログラム９Ｄや、各種プログラムを実行する際に用いる各種条件を対応付けた処理条件テーブル９Ｅを記憶する。また、記憶部９には、携帯電話端末１の基本的な機能を実現するオペレーティングシステムプログラムや、氏名、電話番号、メールアドレス等が登録されたアドレス帳データ等の他のプログラムやデータも記憶される。また、記憶部９には、タッチパネル２に入力された入力操作に基づいて制御動作、処理を決定するプログラム等も記憶される。なお、制御動作、処理とは、携帯電話端末１で実行する各種動作、処理が含まれ、例えば、カーソル、ポインタの移動、画面の表示切換、文字入力処理、各種アプリケーションの起動処理、終了処理がある。
【００３９】
また、記憶部９は、第２タッチセンサ２Ｂの基準位置と第２タッチセンサ２Ｂに対する操作位置との位置関係に係る第１情報と、表示部に表示可能な複数の画面それぞれの位置関係に係る第２情報と、を対応づけて記憶している。なお、記憶部９は、第１情報、第２情報を記憶する領域として種々の領域を用いることができ、例えば条件テーブル９Ｅに記憶することができる。この第１情報および第２情報に基づく画面制御については、後で詳細に述べる。
【００４０】
主制御部１０は、例えば、ＣＰＵ（Central  Processing  Unit）であり、携帯電話端末１の動作を統括的に制御する。具体的には、主制御部１０は、記憶部９に記憶されているデータを必要に応じて参照しつつ、記憶部９に記憶されているプログラムを実行して、タッチパネル２、入力部３、通信部６等を制御することによって各種処理を実行する。主制御部１０は、記憶部９に記憶されているプログラムや、処理を実行することによって取得／生成／加工されたデータを、一時的な記憶領域を提供するＲＡＭ１１に必要に応じて展開する。なお、主制御部１０が実行するプログラムや参照するデータは、通信部６による無線通信でサーバ装置からダウンロードすることとしてもよい。
【００４１】
次に、図６を用いて、携帯電話端末１の主制御部１０によるタッチパネル２への接触動作の検出時の処理動作の一例について説明する。図６は、携帯電話端末１の操作検出動作時の処理の一例を示すフロー図である。図６に示す処理手順は、タッチパネル制御プログラム９Ｃ、操作制御プログラム９Ｄが提供する機能に基づいて繰り返し実行される。より具体的には、タッチパネル制御プログラム９Ｃが提供する機能により取得した各種検出結果を、操作制御プログラム９Ｄが提供する機能に基づいて解析して、入力された操作を検出する。
【００４２】
携帯電話端末１の主制御部１０は、ステップＳ１２としてタッチパネルが待機中であるか、つまりスリープ状態であるかを判定する。なお、主制御部１０は、所定の条件が満たされた場合、例えば、利用者による操作が一定時間以上入力されていない状態となった場合にタッチパネル２をスリープ状態とする。なお、スリープ状態とは、携帯電話端末１の主電源は入っているが一部の機能を停止させ、消費電力を抑制する状態である。主制御部１０は、スリープ状態の場合、タッチパネル２の表示部３に画面（画像）を表示させない状態とする。
【００４３】
主制御部１０は、ステップＳ１２でタッチパネルが待機中ではない（Ｎｏ）、つまりスリープ状態ではない（アクティブ状態である）と判定したら、本処理を終了する。なお、アクティブ状態とは、各種機能を起動した状態である。なお、主制御部１０は、アクティブ状態の場合、タッチパネル２の表示部３に画面（画像）を表示させる。アクティブ状態でのタッチパネル２の動作については後述する。
【００４４】
主制御部１０は、ステップＳ１２でタッチパネルが待機中である（Ｙｅｓ）、つまりスリープ状態であると判定したら、ステップＳ１４として、第２タッチセンサ２Ｂを起動し、ステップＳ１６として、第１タッチセンサ２Ａを停止する。つまり、主制御部１０は、タッチパネル２に対して行われた接触動作を第２タッチセンサ２Ｂで検出可能な状態とする。主制御部１０は、第１タッチセンサ２Ａで接触動作を検出するために駆動していた各種回路への電力の供給を停止することで、第１タッチセンサ２Ａを停止する。なお、主制御部１０は、ステップＳ１４の処理とステップＳ１６の処理の順序を逆にしても、同時におこなってもよい。
【００４５】
その後、主制御部１０は、ステップＳ１８として、第２タッチセンサ２Ｂでタッチ（接触動作）を検出したかを判定する。つまり、主制御部１０は、第２タッチセンサ２Ｂを用いて、スリープ状態のタッチパネル２に操作が入力されたかを判定する。主制御部１０は、ステップＳ１８でタッチを検出していない（Ｎｏ）と判定したら、ステップＳ１８に進む。つまり、主制御部は、スリープ状態の場合、第２タッチセンサ２Ｂで接触動作を検出するまで、ステップＳ１８の処理を繰り返す。
【００４６】
主制御部１０は、ステップＳ１８でタッチを検出した（Ｙｅｓ）と判定したら、スリープ状態からアクティブ状態に切り換える。具体的には、主制御部１０は、ステップＳ２０として、第１タッチセンサ２Ａを起動し、ステップＳ２２として、第２タッチセンサ２Ｂを停止する。つまり、主制御部１０は、タッチパネル２に対して行われた接触動作を第１タッチセンサ２Ａで検出可能な状態とする。主制御部１０は、第２タッチセンサ２Ｂで接触動作を検出するために駆動していた各種回路への電力の供給を停止することで、第２タッチセンサ２Ｂを停止する。なお、主制御部１０は、ステップＳ２０の処理とステップＳ２２の処理の順序を逆にしても、同時に行ってもよい。また、主制御部１０は、ステップＳ２０の処理およびステップＳ２２の処理とともに表示部２Ｃに画面を表示させる処理も行う。主制御部１０は、ステップＳ２０の処理およびステップＳ２２の処理を行い、タッチパネル２をアクティブ状態としたら、本処理を終了する。
【００４７】
このように、携帯電話端末１は、タッチパネル２に第１タッチセンサ２Ａと第２タッチセンサ２Ｂとを設け、スリープ状態の場合は第２タッチセンサ２Ｂにより接触動作を検出すると共に、各種処理を実行するアクティブ状態の場合は第１タッチセンサ２Ａにより接触動作を検出することで、消費電力を抑えつつ、操作性を向上させることができる。つまり、スリープ状態の場合でも第２タッチセンサ２Ｂでタッチパネル２に対する接触動作を検出することで、利用者はタッチパネル２をタッチすることでタッチパネル２をアクティブ状態にすることができる。これにより、操作性を向上させることができる。また、携帯電話端末１は、第２タッチセンサ２Ｂの分解能を第１タッチセンサ２Ａの分解能よりも低くすることで、スリープ状態において第２タッチセンサ２Ｂで接触動作の検出を行っても、消費電力の増加を抑制することができる。
【００４８】
また、主制御部１０は、第１タッチセンサ２Ａに対する操作がなされずに所定の時間経過した場合に、スリープ状態とすることで、上述したように消費電力を低減することができる。
【００４９】
また、主制御部１０は、アクティブ状態の場合、第２タッチセンサ２Ｂによる接触動作の検出を行わないことで、つまり第２タッチセンサ２Ｂを停止させることで、タッチパネル２での消費電力の増加を抑制することができる。また、携帯電話端末１は、アクティブ状態の場合第１タッチセンサ２Ａで接触動作を検出しているので、第２タッチセンサ２Ｂを停止させてもタッチパネル２に対する接触動作を検出することができる。このように、アクティブ状態とスリープ状態とで、起動させるタッチセンサ、停止させるタッチセンサを切り換えることで消費電力を抑えつつ、操作性を向上させることができる。
【００５０】
なお、上記実施形態では、タッチパネル２における第２タッチセンサ２Ｂの分解能が第１タッチセンサ２Ａの分解能よりも低い構成として、第２タッチセンサ２Ｂが接触動作が行われたか否かのみを検出する構成を例に挙げて説明を行ったが、本発明はこれに限定されない。タッチパネル２は、第２タッチセンサ２Ｂが第１タッチセンサ２Ａよりも低い消費電力で操作を検出するタッチセンサであればよい。例えば、第１タッチセンサ２Ａと第２タッチセンサ２Ｂとで同様の方式のタッチセンサを用いる場合、第２タッチセンサ２Ｂの格子密度（電極の配置密度）が、第１タッチセンサ２Ａの格子密度（電極の配置密度）よりも低ければ、第１タッチセンサ２Ａよりも低い消費電力で動作する。また、第２タッチセンサ２Ｂの面積が第１タッチセンサ２Ａの面積よりも小さければ、低い消費電力で動作する。このように、第１タッチセンサ２Ａと第２タッチセンサ２Ｂとは、同じ面積である必要はなく、異なる面積であってもよい。
【００５１】
また、タッチパネル２は、本実施形態のように第２タッチセンサ２Ｂを第１タッチセンサ２Ａよりも表示部２Ｃ側に配置することで、アクティブ状態で接触動作を検出する際の第１タッチセンサ２Ａの検出感度を維持することができる。つまり、第１タッチセンサ２Ａの感度に第２タッチセンサ２Ｂが影響を及ぼすことを抑制することができる。
【００５２】
なお、第１タッチセンサ２Ａと第２タッチセンサ２Ｂとの配置位置はこれに限定されない。タッチパネル２は、第１タッチセンサ２Ａを第２タッチセンサ２Ｂよりも表示部２Ｃ側に有していてもよい。つまり、タッチパネル２は、第２タッチセンサ２Ｂを第１タッチセンサ２Ａよりも筐体１２の外側（外部に露出する側）に有していてもよい。タッチパネル２は、第１タッチセンサ２Ａを第２タッチセンサ２Ｂよりも表示部２Ｃ側に配置することで、第２タッチセンサ２Ｂで接触動作を好適に検出することができる。
【００５３】
なお、タッチパネル２は、第１タッチセンサ２Ａ、第２タッチセンサ２Ｂとして各種方式のタッチセンサを用いることができる。例えば、タッチパネル２は、第１タッチセンサ２Ａに投影型静電容量方式のタッチセンサ（タッチスクリーン）を用い、第２タッチセンサ２Ｂにも投影型静電容量方式のタッチセンサ（タッチスクリーン）を用いることができる。
【００５４】
タッチパネル２は、第１タッチセンサ２Ａに投影型静電容量方式のタッチセンサ（タッチスクリーン）を用い、第２タッチセンサ２Ｂに表面型静電容量方式のタッチセンサ（タッチスクリーン）を用いる構成とすることができる。なお、この場合は、第２タッチセンサ２Ａを第１タッチセンサ２Ｂよりも筐体１２の外側に配置することが好ましい。
【００５５】
タッチセンサ２は、第１タッチセンサ２Ａに静電容量方式のタッチセンサ（タッチスクリーン）を用い、第２タッチセンサ２Ｂに抵抗膜方式のタッチセンサを用いることもできる。第２タッチセンサ２Ｂにより消費電力が少ない抵抗膜方式のタッチセンサを用いることで第２タッチセンサ２Ｂでの消費電力を少なくすることができる。また、抵抗膜方式のタッチセンサは、操作のために所定の押圧力を加える必要があるため、スリープ時に利用者の意図しない操作を検出しにくくすることができる。なお、この場合は、第２タッチセンサ２Ｂを第１タッチセンサ２Ａよりも筐体１２の外側に配置することが好ましい。
【００５６】
タッチパネル２は、第１タッチセンサ２Ａに静電容量方式のタッチセンサ（タッチスクリーン）を用い、第２タッチセンサ２Ｂにも表面弾性波方式のタッチセンサ（タッチスクリーン）を用いる構成とすることができる。なお、この場合は、第２タッチセンサ２Ｂを第１タッチセンサ２Ａよりも筐体１２の外側に配置することが好ましい。
【００５７】
以上のようにタッチパネル２は、種々のタッチセンサの組み合わせにより構成することができる。なお、一方のタッチセンサに抵抗膜方式のタッチセンサを用いる場合は、抵抗膜方式のタッチセンサを他方のタッチセンサより筐体１２の外側に配置することが好ましい。これにより、抵抗膜方式のタッチセンサで好適に接触動作を検出することができる。
【００５８】
ここで、図７は、第２タッチセンサの概略構成を示す説明図である。携帯電子機器１は、図７に示すように第２タッチセンサ２Ｂの全面が１つのボタン（第１ボタン）４０であるように扱うこと、つまり分解能を１とすることが好ましい。当該構成では、第２タッチセンサ２Ｂは、接触動作を検出する回路を有していれば良く、接触位置を検出する回路を設ける必要がないため、接触動作の検出時の消費電力をより少なくすることができる。
【００５９】
ここで、第２タッチセンサは、１つのボタン４０とすることに限定されない。図８および図９は、第２タッチセンサの他の実施形態の概略構成を示す説明図である。図８に示す第２タッチセンサ４１は、接触を検出する領域を上下の２つに分割し２つのボタンとする。具体的には、第２タッチセンサ４１は、接触を検出する領域のうち上側の半分の領域をボタン（第１ボタン）４２とし、接触を検出する領域のうち下側の半分の領域をボタン（第２ボタン）４４とする。また、図９に示す第２タッチセンサ５０は、接触を検出する領域を左右方向に３つに分割し３つのボタンとする。具体的には、第２タッチセンサ５０は、接触を検出する領域のうち左側の３分の１の領域をボタン（第１ボタン）５２とし、接触を検出する領域のうち中央の３分の１の領域をボタン（第２ボタン）５４とし、接触を検出する領域のうち右側の３分の１の領域をボタン（第３ボタン）５６とする。
【００６０】
携帯電話端末１は、タッチパネルの第２タッチセンサの領域を図８および図９に示すように複数の領域に分割し、それぞれの領域をボタン（操作部）として扱うことで、どの領域がタッチされたかを検出することができる。本実施形態では、上述した第２タッチセンサにおける基準位置を第２タッチセンサの中心点とする。基準位置は、図８に示す構成では第１ボタン４１と第２ボタンとの境界線上に存在する。基準位置は、図９に示す構成では第２ボタン５４に割り当てられた領域（中央の３分の１の領域）に存在する。なお、第２タッチセンサの基準位置は、第２タッチセンサの中心点には限られず、中心点とは異なる位置でもよい。また、第２タッチセンサ上の点でなく、ある程度の面積をもった領域であってもよい。
【００６１】
図１０を用いて、スリープ時にタッチされるボタンと復帰時に表示部に表示させる画面との関係の一例を説明する。ここで、図１０は、図９に示す第２タッチセンサ５０の操作検出時の動作を説明するための説明図である。携帯電話端末１の主制御部１０は、スリープ状態で第２タッチセンサによりボタン（第１ボタン）５２がタッチされたことを検出した場合、画面６０を表示させる。なお画面６０は、各種設定を行う画面である。また、主制御部１０は、スリープ状態で第２タッチセンサによりボタン（第２ボタン）５４がタッチされたことを検出した場合、画面６２を表示させる。なお画面６２は、各種設定を行う画面である。ホーム画面である。なお、ホーム画面等は、待受け画面である。待受画面とは、電話の発着信を待ち受けている状態の画面、または、アプリケーションプログラムの起動を待ち受けている状態の画面である。換言すると、待受画面は、携帯電話端末１が提供する各種機能画面へ画面が変わる前の画面である。なお、待受画面は、例えば、初期画面、デスクトップ画面、ホーム画面、または、壁紙と呼ばれることもある。また、図１０に示す例では、無地の画面が待受画面として表示されているが、画像データやアニメーションデータを待受画面として表示してもよい。また、待受画面の一部として、カレンダや時計のように動的に変化する部分が含まれていてもよい。本実施形態の画面６２には、時計の画像と発信操作が対応付けられたボタンと戻る操作が対応付けられたボタンと電話帳を呼び出す操作が対応付けられたボタンとが表示される。携帯電話端末１の主制御部１０は、スリープ状態で第２タッチセンサによりボタン（第３ボタン）５６がタッチされたことを検出した場合、画面６４を表示させる。なお画面６４は、登録されているアプリケーションのアイコンを表示する画面である。
【００６２】
このように、携帯電話端末１は、第２タッチセンサで接触動作によりどのボタンがタッチされたかを判定し、タッチされたボタンに応じてスリープ状態からアクティブ状態に切り換える際に実行する処理を異なる処理とすることができる。これにより、スリープ状態からの復帰時に表示させる画面を種々の画面とすることができ、利用者は、画面復帰の操作と表示画面の切り換えの操作を１つの操作で入力することができる。また、第２タッチセンサを複数の領域に分割した場合でも、一定の設定された領域に分割しておくことで、タッチされた領域の判定の回路を簡単にすることができる。つまり、第２タッチセンサは、接触位置を検出する精度を第１タッチセンサよりも低くしても上記処理は可能であるため、タッチされたボタンの判定を行う場合でも、消費電力を抑えつつ、操作性を向上させることができる。
【００６３】
また、異なる複数の画面をタッチパネルに対するドラッグ操作やフリック操作に応じて切り替えて表示できる携帯電話端末がある。このような携帯電話端末においては、主制御部１０は、スリープ状態からアクティブ状態への切換時に表示させる画面の位置関係に対応付けることが好ましい。主制御部１０は、第２タッチセンサで検出した接触動作の位置が第３ボタン５６の領域に含まれる（基準位置に対して右側である）場合、スリープ状態からアクティブ状態への切換時に表示させる画面を、スリープ状態に移行する前に表示部に表示されていた画面の右側の画面とし、第２タッチセンサで検出した接触動作の位置が第１ボタン５２の領域に含まれる（基準位置に対して左側である）場合、スリープ状態からアクティブ状態への切換時に表示させる画面を、スリープ状態に移行する前に表示部に表示されていた画面の左側の画面とすることが好ましい。つまり、中央を基準として押下されたボタンの方向に遷移した画面を表示させることが好ましい。これにより、利用者は復帰時に表示させる画面を選択することができる。
【００６４】
また、主制御部１０は、スリープ状態に移行する前に表示部に表示されていた画面が複数の画面のうちの右端の画面であり、かつ第２タッチセンサで検出した接触動作の位置が右側である場合、スリープ状態からアクティブ状態への切換時に表示させる画面を、スリープ状態に移行する前に表示部に表示されていた画面とし、一方、スリープ状態に移行する前に表示部に表示されていた画面が複数の画面のうちの左端の画面であり、かつ第２タッチセンサで検出した接触動作の位置が左側である場合、スリープ状態からアクティブ状態への切換時に表示させる画面を、スリープ状態に移行する前に表示部に表示されていた画面とすることができる。つまり、主制御部１０は、表示する設定されている画面からさらに移動させる画面が無い場合、スリープ状態に移行する前に表示部に表示されていた画面を再び表示させることが好ましい。これにより、表示順序の端の画面を表示させていることを認識することができる。
【００６５】
また、主制御部１０は、スリープ状態に移行する前に表示部に表示されていた画面が複数の画面のうちの右端／左端（右端または左端）の画面であり、かつ第２タッチセンサで検出した接触動作の位置が右側／左側（右端または左端、つまり画面の端側）である場合、スリープ状態からアクティブ状態への切換時に表示させる画面を、複数の画面のうち基準に設定されている画面とすることもできる。つまり、主制御部１０は、表示する設定の画面が端の画面であり、さらにその端よりも外側に移動させる操作が入力された場合、基準に設定されている画面（例えば、ホーム画面）を表示させることが好ましい。これにより、画面の順序を認識しやすくすることができる。
【００６６】
主制御部１０は、スリープ状態からアクティブ状態への切換時に表示させる画面を、第２タッチセンサ２Ｂにより検出される操作の位置にかかわらず特定の画面とすることもできる。このように復帰時は常に同じ画面を表示させる設定とすることで、直前の操作の影響を受けることなく操作を開始することができる。
【００６７】
次に、図１１は、タッチパネルの他の実施形態の概略構成を示す説明図である。携帯電話端末１は、図１１に示すように、基準電位点７０と、第２タッチセンサ２Ｂと基準電位点７０との接続を切り換える切換回路７２とを有することが好ましい。なお、図１１に示すタッチパネルは、第１タッチセンサ２Ａと表示部２Ｃとの間に第２タッチセンサ２Ｂが配置された構成である。基準電位点７０は、いわゆるアースである。切換回路７２は、第２タッチセンサ２Ｂと基準電位点７０とが電気的に接続している状態と接続していない状態とを切り換える回路である。切換回路７２は、第２タッチセンサ２Ｂと基準電位点７０とを電気的に接続することで、第２タッチセンサ２Ｂを基準電位とする。
【００６８】
主制御部１０は、アクティブ状態の場合、切換回路７２により第２タッチセンサ２Ｂと基準電位点７０とを接続させる。また、主制御部１０は、スリープ状態の場合、切換回路７２により第２タッチセンサ２Ｂと基準電位点７０とを接続していない状態とする。このように、アクティブ状態の場合、切換回路７２により第２タッチセンサ２Ｂと基準電位点７０とを接続させ、第２タッチセンサ２Ｂを基準電位にすることで、第２タッチセンサ２Ｂを第１タッチセンサ２Ａと表示部２Ｃとの間のシールドとすることができる。これにより、アクティブ時に第１タッチセンサ２Ａと表示部２Ｃとを駆動させることで、一方の駆動が他方の駆動に影響を与えノイズとなることを抑制できる。このように、第２タッチセンサ２Ｂをシールド（ノイズシールド）とすることで、第１タッチセンサ２Ａにノイズシールドを設けなくてもノイズの発生を抑制することができる。また、切換回路７２は簡単な機構で実現可能であるため装置も安価にすることができる。また、第２タッチセンサ２Ｂは、表示部２Ｃに画面を表示させないスリープ状態、つまり表示部２Ｃを停止している場合に駆動される。これにより、第２タッチセンサ２Ｂは、表示部２Ｃとの間にシールドを設けなくても表示部２に起因して発生するノイズを抑制できる。
【００６９】
上述の実施形態において、図６を参照して主制御部１０によるタッチパネル２への接触動作の検出時の処理動作の一例についての説明を行った。図６に示すフローチャートにおいて、主制御部１０は、スリープ状態で第２タッチセンサ２Ｂにより操作が検出されると（ステップＳ１８でＹｅｓ）、ステップＳ２０で第１タッチセンサ２Ａを起動させると共にステップＳ２２で第２タッチセンサ２Ｂを停止させる。
【００７０】
ここで、ステップＳ１８における操作を行った指（対象物、上述したように利用者の指またはスタイラスペン）が、ステップＳ２０で主制御部１０により第１タッチセンサ２Ａが起動された段階でタッチパネル２上にある場合が考えられる。このとき、例えば第１タッチセンサ２Ａが静電容量式であれば、利用者の指による静電容量の変化に基づき、第１タッチセンサ２Ａから操作に対応する信号が主制御部１０に送信される。主制御部１０は、第１タッチセンサ２Ａから受信した操作に係る信号に基づいて所定の処理を行ってもよいし、行わなくてもよい。すなわち、主制御部１０は、スリープ状態で第２タッチセンサ２Ｂにより操作が検出されて、第１タッチセンサ２Ａにより操作を検出するアクティブ状態となったときに第１タッチセンサ２Ａにより操作が検出されると、当該検出された操作を有効としてもよいし、無効としてもよい。
【００７１】
主制御部１０は、上記所定の処理として、第１タッチセンサ２Ａにより検出された操作の位置が、表示部２Ｃに表示された所定の機能を起動させるためのアイコンに割り当てられた領域に対応する場合には、当該所定の機能を起動する処理を行うことができる。また、アクティブ状態になったときに第１タッチセンサ２Ａにより検出される操作の位置が移動することが検出された場合（例えば、ユーザーがドラッグ操作やフリック操作を行った場合に該当する）には、当該操作に基づいて表示部２Ｃに表示された画面をスクロールする等の処理を行ってもよい。
【００７２】
主制御部１０は、表示部２Ｃによる表示が行われると共に第１タッチセンサ２Ａによる操作の検出が行われるアクティブ状態となってからの時間を計測し、アクティブ状態となってから所定の時間が経過する前に第１タッチセンサ２Ａにより操作が検出されなくなった場合には上記所定の処理を行わず、アクティブ状態となってから所定の時間が経過した後も第１タッチセンサ２Ａにより操作（接触）が検出される場合には上記所定の処理を行うこととしてもよい。
【００７３】
アクティブ状態となってから所定の時間が経過する前に操作が検出されない場合、利用者が所定の処理を行うことを意図していない、すなわち単にスリープ状態からアクティブ状態へ移行することだけを目的としてタッチパネル２に対する操作を行った可能性が考えられる。一方、アクティブ状態となってから所定の時間が経過した後も操作が検出される場合には、ユーザーが何らかの機能を起動させる意図を持ってタッチパネル２に対する操作を行っている可能性が考えられる。このように、アクティブ状態となってから経過した時間に応じて上記所定の処理を行うか否かを決定することで、利用者の使い勝手を向上させることができる。
【００７４】
なお、アクティブ状態となってから所定の時間が経過した後も操作が検出される場合には、操作がなされる位置の移動を検出し、操作が検出されなくなった位置に対応するアイコンに係る機能を起動するようにしてもよい。これにより、利用者は、表示部２Ｃによる表示が行われた時点において指で触っている位置のアイコンに係る機能が起動させたい機能と異なる場合に、所望の機能に対応するアイコンが表示される領域まで指を移動させてから指を離すことで、所望の機能を起動させることができる。これにより、使い勝手がさらに向上する。
【符号の説明】
【００７５】
１  携帯電話端末
２  タッチパネル
２Ａ  第１タッチセンサ
２Ｂ  第２タッチセンサ
２Ｃ  表示部
３  入力部
５  電源部
６  通信部
７  レシーバ
８  マイク
９  記憶部
９Ａ  メールプログラム
９Ｂ  ブラウザプログラム
９Ｃ  タッチパネル制御プログラム
９Ｄ  操作制御プログラム
９Ｅ  処理条件テーブル
１０  主制御部
１１  ＲＡＭ
１２  筐体
２０、２２  ボタン
２４  入力デバイス
【図１】
0005753432.tif 000002
【図２】
0005753432.tif 000003
【図３】
0005753432.tif 000004
【図４】
0005753432.tif 000005
【図５】
0005753432.tif 000006
【図６】
0005753432.tif 000007
【図７】
0005753432.tif 000008
【図８】
0005753432.tif 000009
【図９】
0005753432.tif 000010
【図１０】
0005753432.tif 000011
【図１１】
0005753432.tif 000012